(57)【要約】【課題】ゴルフのキャディバッグを移動する場合にゴルフクラブが互いに接触して傷つけることを防ぐ口枠を提供する。【解決手段】キャディバッグの上方に形成された開口上に設けてなり、弾性を具え、楕円形を呈して一体に成型された本体と、ゴルフクラブを仕切るために該本体に形成された複数の凹孔からなる設置空間とを具えてなり、一部の設置空間には位置決め溝を設けてなり、それぞれの位置決め溝は、開口が小さく、内側の空間が大きく形成され、複数のゴルフクラブを位置決め溝に設けると、位置決め溝の開口が弾性を具えているため、ゴルフクラブが位置決め溝に固定されて、キャディバッグを移動しても隣接するゴルフクラブのヘッドに接触してゴルフクラブが傷つくことがない構造からなる。【選択図】図１
0003121502.tif 000002
【実用新案登録請求の範囲】
【請求項１】
キャディバッグの上方に形成された開口上に設けてなり、弾性を具え、楕円形を呈して一体に成型された本体と、ゴルフクラブを仕切るために該本体に形成された複数の凹孔からなる設置空間とを具えてなり、一部の設置空間には位置決め溝を設けてなり、それぞれの位置決め溝は、開口が小さく、内側の空間が大きく形成され、複数のゴルフクラブを位置決め溝に設けると、位置決め溝の開口が弾性を具えているため、ゴルフクラブが位置決め溝に固定されて、キャディバッグを移動しても隣接するゴルフクラブのヘッドに接触してゴルフクラブが傷つくことがない構造からなることを特徴とする口枠。
【請求項２】
前記本体はゴムから形成してもよいことを特徴とする請求項１に記載の口枠。
【考案の詳細な説明】
【技術分野】
【０００１】
この考案は、口枠に関し、特にゴルフのキャディバッグに設けてゴルフクラブを差し込むために利用する口枠に関する。
【背景技術】
【０００２】
従来の口枠は、中華民国実用新案登録番号第３０６２９７号「キャディバッグの口枠」にあるように、軟性のパッドと、接続リングと、設置空間などを含んでなる。該軟性のパッドは弾性を具え、楕円形を呈して一体に成型する。該軟性のパッドは、複数の凹孔の設置空間を形成して、それぞれのゴルフクラブを仕切るために供する。また、設置空間は下方に設けられた適宜な厚さを具えた楕円形の中空の弧状の板を具えてなる接続リングに接続する。該接続リングは下方のキャディバッグに接続しているためゴルフクラブを保護するとともに、コストを抑えることができる。
【０００３】
前述の考案は、ゴルフクラブを保護してコストを抑える目的を達成することができるが、パッドに形成した設置空間は、決められた位置にそれぞれのゴルフクラブを固定、もしくは位置決めすることができない。よって、キャディバッグを移動、もしくは運ぶ場合、ゴルフクラブが隣接するゴルフクラブのヘッドと容易に接触して傷がつくため、実用的でない。
【考案の開示】
【考案が解決しようとする課題】
【０００４】
この考案は、ゴルフのキャディバッグを移動、もしくは持ち運ぶ場合にゴルフクラブが互いに接触して傷つけることを防ぐことができるキャディバッグの口枠を提供することを課題とする。
【課題を解決するための手段】
【０００５】
そこで、本考案の考案者は従来の技術に見られる欠点に鑑みて鋭意研究を重ねた結果、キャディバッグの上方に形成された開口上に設けてなり、弾性を具え、楕円形を呈して一体に成型された本体と、ゴルフクラブを仕切るために該本体に形成された複数の凹孔からなる設置空間とを具えてなり、一部の設置空間には位置決め溝を設けてなり、それぞれの位置決め溝は、開口が小さく、内側の空間が大きく形成され、複数のゴルフクラブを位置決め溝に設けると、位置決め溝の開口が弾性を具えているため、ゴルフクラブが位置決め溝に固定されて、キャディバッグを移動しても隣接するゴルフクラブのヘッドに接触してゴルフクラブが傷つくことがない構造からなる。
【０００６】
以下、この考案について具体的に説明する。
請求項１に記載の口枠は、キャディバッグの上方に形成された開口上に設けてなり、弾性を具え、楕円形を呈して一体に成型された本体と、ゴルフクラブを仕切るために該本体に形成された複数の凹孔からなる設置空間とを具えてなり、一部の設置空間には位置決め溝を設けてなり、それぞれの位置決め溝は、開口が小さく、内側の空間が大きく形成され、複数のゴルフクラブを位置決め溝に設けると、位置決め溝の開口が弾性を具えているため、ゴルフクラブが位置決め溝に固定されて、キャディバッグを移動しても隣接するゴルフクラブのヘッドに接触してゴルフクラブが傷つくことがない構造からなる。
【０００７】
請求項２に記載の口枠は、請求項１における本体がゴムから形成してもよい。
【考案の効果】
【０００８】
この考案の口枠は、ゴルフクラブを固定することができるため、キャディバッグを移動する場合に隣接するゴルフクラブに接触して傷つくことを防ぐ効果を有する。
【考案を実施するための最良の形態】
【０００９】
この考案は、ゴルフのキャディバッグを移動、もしくは持ち運ぶ場合にゴルフクラブが互いに接触して傷つけることを防ぐことができるキャディバッグの口枠を提供するものであって、キャディバッグの上方に形成された開口上に設けてなり、弾性を具え、楕円形を呈して一体に成型された本体と、ゴルフクラブを仕切るために該本体に形成された複数の凹孔からなる設置空間とを具えてなり、一部の設置空間には位置決め溝を設けてなり、それぞれの位置決め溝は、開口が小さく、内側の空間が大きく形成され、複数のゴルフクラブを位置決め溝に設けると、位置決め溝の開口が弾性を具えているため、ゴルフクラブが位置決め溝に固定されて、キャディバッグを移動しても隣接するゴルフクラブのヘッドに接触してゴルフクラブが傷つくことがない構造からなる。
かかる口枠の構造と特徴を詳述するために具体的な実施例を挙げ、図示を参照にして以下に説明する。
【実施例】
【００１０】
図１、２に開示するように、本体１１は、キャディバッグ２０の上方に形成された開口２１上に設けられる。該本体１１は、弾性を具え、楕円形を呈して一体に成型され、ゴルフクラブ２２を仕切るために供する複数の正方形、長方形、半楕円形などを呈する凹孔からなる設置空間１２を形成する。また、一部の設置空間１２には内側端縁部に位置決め溝１３を設けてなる。それぞれの位置決め溝１３は、開口より小さく、内側の空間が大きい形状を呈してなる。
【００１１】
図３に開示するように、複数のゴルフクラブ２２を位置決め溝１３に設けると、位置決め溝１３の開口が弾性を具えているため、ゴルフクラブ２２が位置決め溝１３の内に固定される。よって、キャディバッグ２０を移動、もしくは運ぶ場合、それぞれのゴルフクラブ２２が、位置決め溝１３に固定されて隣接するゴルフクラブ２２のヘッドに接触してゴルフクラブが傷つかない。
【００１２】
図１、２に開示するように、該本体１１は、ゴムもしくはシリコンの弾性で軟性の材質から形成する。
【００１３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００１４】
【図１】この考案の口枠を示した斜視図である。
【図２】図１に開示する口枠を示した平面図である。
【図３】図１に開示する口枠をキャディバッグに設けた状態を示した説明図である。
【符号の説明】
【００１５】
１１        本体
１２        設置空間
１３        位置決め溝
２０        キャディバッグ
２１        開口
２２        ゴルフクラブ
【図１】
0003121502.tif 000003
【図２】
0003121502.tif 000004
【図３】
0003121502.tif 000005